(57)【要約】【課題】  従来の湿り蒸気（常圧スチーム）を利用した処理装置の場合には、大気圧中で発生蒸気釜等に供給された水を沸騰させて生成した蒸気をダストや導管等を通じてフード内に導き加温するものであり、常圧スチームのための乾き度も小さい上、蒸気の送出途中における冷却凝縮のための熱損失等もあり湿り蒸気の熱エネルギーも十分でないため、所定の温度まで加温するのに時間がかかるといった問題があった。【解決手段】  頭部を挿入可能に形成されたフード１と、過熱蒸気を発生させる過熱蒸気生成ボイラー２１と、該ボイラーからの過熱蒸気を前記フード内に供給するための過熱蒸気管４と、前記過熱蒸気管内を流通する過熱蒸気のフード内への供給量を調整するための電磁弁４３と、該電磁弁を制御するための制御部３０とを具備した頭髪・頭皮処理装置である。【選択図】        図１
2004351194.tif 000002
【特許請求の範囲】
【請求項１】
頭部を挿入可能に形成されたフードと、過熱蒸気を発生させる過熱蒸気生成ボイラーと、該ボイラーからの過熱蒸気を前記フード内に供給するための過熱蒸気管と、前記過熱蒸気管内を流通する過熱蒸気のフード内への供給量を調整するための電磁弁と、該電磁弁を制御するための制御部とを具備したことを特徴とする頭髪・頭皮処理装置。
【請求項２】
前記フード内に少なくとも１つの温度センサを設置し、該温度センサで検出した温度信号によって予め設定した温度となるように前記制御部が前記電磁弁を制御するようにしたことを特徴とする請求項１記載の頭髪・頭皮処理装置。
【請求項３】
前記過熱蒸気管を分岐させフード内に複数箇所から過熱蒸気を供給できるようにしたことを特徴とする請求項１記載の頭髪・頭皮処理装置。
【請求項４】
前記過熱蒸気管を分岐させフード内に複数箇所から過熱蒸気を供給できるように構成すると共に複数個の温度センサを配置し、各温度センサが検出した温度が予め設定した温度になるように、前記制御部が、各温度センサに対応した前記電磁弁を制御しフード内をより均一温度に制御できるようにしたことを特徴とする請求項１に記載の頭髪・頭皮処理装置。
【請求項５】
前記電磁弁を比例電磁弁としたことを特徴とする請求項１に記載の頭髪・頭皮処理装置。
【請求項６】
前記フードに頭部を挿入するための開口部を有する球状に形成すると共に透明あるいは半透明な合成樹脂で構成し、処理状態が外部から見えるようにしたことを特徴とする請求項１記載の頭髪・頭皮処理装置。
【請求項７】
前記過熱蒸気管の先端にフード内に供給する過熱蒸気を拡散させるための拡散ノズルを取付けたことをことを特徴とする請求項１，３，４の何れかに記載の頭髪・頭皮処理装置。
【発明の詳細な説明】
【技術分野】
【０００１】
本発明は頭部を球状に形成されたフード内に挿入してパーマ・染毛・トリートメントおよび頭皮ケア等の処理を行うための頭髪・頭皮処理装置に関する。
【背景技術】
【０００２】
従来からパーマ・染毛・トリートメント等の処理を行う場合には、頭髪に薬剤を塗布して化学反応処理を行う際、該処理効果を高める方法として、薬剤を塗布した頭髪をヘアキャップやフード等で覆った空間に、温水から生成した温ミストあるいは水を沸騰させて生成した湿り蒸気（常圧スチーム）を送り込んで加温・加湿していた。
【特許文献１】実開平２−２６４０２号
【発明の開示】
【発明が解決しようとする課題】
【０００３】
ところで、前記した従来例にあっては、フードに送り込む温ミストや湿り蒸気の持っている熱エネルギーであるエンタルピー（その状態が持っている熱エネルギーの総量＝顕熱＋潜熱、ここで、顕熱とは、０℃の水が１００℃まで温度を上げるための熱であり、潜熱とは、大気中で１００℃まで上昇した水は水蒸気となって蒸発するが、この蒸発のために必要な熱量である）で、薬剤が塗布された頭髪を加温し薬剤の化学反応を促進する。
【０００４】
しかし、温ミストの場合には、９０℃位の温水に超音波振動を与えて発生させた温ミストを送風ファンでフード内に送り込んで加温するが、もともと温ミストの持っている熱エネルギー（湿り空気のエンタルピー）が小さいために、所定の温度（例えば、４０℃）まで加温するのに約５分以上の時間がかかる。
【０００５】
また、湿り蒸気（常圧スチーム）の場合には、大気圧中で蒸気発生釜等に供給された水を沸騰させて生成した蒸気をダクトや導管等を通じてフード内に導き加温するものであり、常圧スチームのための乾き度（乾き度とは、湿り蒸気中の水蒸気の重量割合）も小さい上、蒸気の送出途中における冷却凝縮のための熱損失等もあり湿り蒸気の熱エネルギー（常圧スチームのエンタルピー）も十分でないため、所定の温度まで加温するのに約３分程度の時間がかかるといった問題があった。
【０００６】
本発明は前記した問題点を解決せんとするもので、その目的とするところは、パーマ・染毛・トリートメント等の頭髪と薬剤の化学反応処理の処理時間を短くして毛髪の中に薬剤が長い時間滞留することから生じる毛髪の損傷を大幅に減少することができる頭髪・頭皮処理装置を提供せんとするにある。
【課題を解決するための手段】
【０００７】
本発明の頭髪・頭皮処理装置は前記した目的を達成せんとするもので、その請求項１の手段は、頭部を挿入可能に形成されたフードと、過熱蒸気を発生させる過熱蒸気生成ボイラーと、該ボイラーからの過熱蒸気を前記フード内に供給するための過熱蒸気管と、前記過熱蒸気管内を流通する過熱蒸気のフード内への供給量を調整するための電磁弁と、該電磁弁を制御するための制御部とを具備したもきである。
【０００８】
請求項２の手段は、前記請求項１の手段において、前記フード内に少なくとも１つの温度センサを設置し、該温度センサで検出した温度信号によって予め設定した温度となるように前記制御部が前記電磁弁を制御するようにしたことを特徴とする。
【０００９】
請求項３の手段は、前記請求項１において、前記過熱蒸気管を分岐させフード内に複数箇所から過熱蒸気を供給できるようにしたことを特徴とする。
【００１０】
請求項４の手段は、前記請求項１の手段において、前記過熱蒸気管を分岐させフード内に複数箇所から過熱蒸気を供給できるように構成すると共に複数個の温度センサを配置し、各温度センサが検出した温度が予め設定した温度になるように、前記制御部が、各温度センサに対応した前記電磁弁を制御しフード内をより均一温度に制御できるようにしたことを特徴とする。
【００１１】
請求項５の手段は、前記請求項１の手段において、前記電磁弁を比例電磁弁としたことを特徴とする。
【００１２】
請求項６の手段は、前記請求項１の手段において、前記フードに頭部を挿入するための開口部を有する球状に形成すると共に透明あるいは半透明な合成樹脂で構成し、処理状態が外部から見えるようにしたことを特徴とする。
【００１３】
請求項７の手段は、前記請求項１，３，４の何れかの手段において、前記過熱蒸気管の先端にフード内に供給する過熱蒸気を拡散させるための拡散ノズルを取付けたことを特徴とする。
【発明の効果】
【００１４】
本発明は前記したように、頭部を挿入可能に形成されたフードと、過熱蒸気を発生させる過熱水蒸気生成ボイラーと、該ボイラーからの過熱蒸気を前記フード内に供給するための過熱蒸気管と、前記過熱蒸気管内を流通する過熱蒸気のフード内への供給量を調整するための電磁弁と、該電磁弁を制御するための制御部とを具備したことにより、従来の蒸気よりも時間が約２０秒と短くなり、頭髪と薬剤の化学反応処理の処理時間を短くすることができるので、毛髪に対するダメージを抑えることができ、さらに、作業時間の短縮を図ることができる。
【００１５】
また、フード内に少なくとも１つの温度センサを設置し、該温度センサで検出した温度信号によって予め設定した温度となるように制御部が電磁弁を制御するようにしたので、フード内の温度を一定に保つことが可能である。
【００１６】
さらに、前記過熱蒸気管を分岐させフード内に複数箇所から過熱蒸気を供給できるようにすることで、フード内を略同じ雰囲気にでき、また、複数の温度センサを配置し、各温度センサが検出した温度が、予め設定した温度になるように、前記制御部が各温度センサに対応した前記電磁弁を制御することによりフード内をより均一に温度制御できる。
【００１７】
また、過熱蒸気管の先端に、フード内に供給される過熱蒸気を拡散させるための拡散ノズルを取付けたので、過熱蒸気がフード内に均一に行き渡り頭髪を均一に処理することができ、また、電磁弁を比例電磁弁とすることで、フード内に供給され過熱蒸気の温度をより細かく精度を高めて制御することができるものである。
【００１８】
さらに、フードを、頭部を挿入するための開口部を有する球状に形成すると共に透明あるいは半透明な合成樹脂で構成したので、処理状態が外部から見えることから施術者が処理の状態を観察できる等の効果を有するものである。
【実施例１】
【００１９】
以下、本発明に係る頭髪・頭皮処理装置の基本的な構成の第１の実施例を図
面と共に説明する。
図１は全体の構成を示す斜視図にして、１は耐熱および薬剤によって化学反応を起こすことのない樹脂によって構成した球状のフードにして、後述する過熱蒸気生成装置２（以下、単に装置という）と連結板３を介して一体化され、また、装置２より導出された過熱蒸気管４の先端が臨んでいる。なお、フード１は施術中に内部が見えるように透明または半透明の合成樹脂で構成することが望ましい。
【００２０】
フード１は上下２つの半球体を組み合わせたものであり、前方には被施術者の頭部を挿入するための開口部１１が開口され、また、温度センサ１２が取付けられている。
【００２１】
２は前記フード１が２枚の連結板３を介して取付けられた過熱蒸気生成装置にして、図２に示すように金属製のボイラー本体２１ａと、該ボイラー本体２１ａの外周を覆う断熱材２１ｂとからなる過熱蒸気生成ボイラー２１（以下、単にボイラーという）が内蔵され、かつ、該ボイラー２１内に水を供給するための注水管２２がケース２３の上面より突出している。
【００２２】
前記注水管２２の開口部には蒸気が抜け出ないように密閉可能なキャップ２２ａが着脱自在に取付けられている。また、前記ボイラー２１内にはヒータ２４が取付けられていおり、注水された水を密閉状態で加熱するようになっているので、内部の水は１００℃以上に加熱されることとなる。
【００２３】
さらに、過熱蒸気生成装置２内には図５に示す回路からなる電装部２５が内蔵されており、該電装部２５の表面には温度設定用と時間設定用の操作ボタン２６ａおよび液晶パネルである表示部２６ｂからなる操作部２６が取付けられている。そして、過熱蒸気生成装置２は移動可能なスタンド５に取付けられている。
【００２４】
４は過熱蒸気管にして、金属製のパイプ４１と、該パイプ４１の外周を覆う断熱材４２とから構成されており、一端が前記ボイラー２１内に臨み、他端がフード１内に臨んでいる。そして、過熱蒸気管４のボイラー２１に近い側には電磁弁４３が取付けられ、ボイラー２１からのフード１内への過熱蒸気の噴出量を調整できるようになっている。
【００２５】
また、過熱蒸気管４のフード１内に臨んでいる先端には拡散ノズル４４が取付けられている。この拡散ノズル４は図３，４に詳述するように、小径筒部４４ａと大径筒部４４ｂとからなり、大径筒部４４ｂの先端には多数の小孔４４ｂ1 が形成された遮蔽板４４ｂ2 が形成され、かつ、筒部の周面には開口４４ｂ3 が形成されているので、過熱蒸気管４内よりの過熱蒸気は拡散されフード１内は所定の温度まで上昇する。なお、拡散ノズル４４は前記した構造に限定されるものではなく、過熱蒸気をフード内に均一に拡散可能な構造のものであれば、どのような構造のものであってもよい。例えば、過熱蒸気管４の開口部を拡開したような形状でもよいので、拡散ノズル４４は必ずしも必要ではない。
【００２６】
そして、前記小径筒部４４ａと大径筒部４４ｂとの境目には水蒸気が冷却凝縮し水滴として飛散するのを防止することを目的として細かい目の網４４ｃが取付けられ、かつ、小径筒部４４ａは前記パイプ４１の先端に嵌合固定されているので、ボイラー２１からの過熱蒸気は網４４ｃを介して拡散ノズル４４に流れ込みフード１内に拡散される。
【００２７】
次に、前記した電装部２５の回路ブロックを図５と共に説明する。なお、前記した説明における符号と同一符号は同一部材としてその説明は省略する。
２７は電源にしてリレー２８を介して前記したヒータ２４に接続されている。２９はボイラー２１内に取付けられた温度センサ、３０は前記温度センサ２９よりの信号により前記リレー２８のオン・オフを制御し、また、前記温度センサ１２よりの信号により
前記電磁弁４３の開閉を制御する制御部である。
【００２８】
次に、前記した図５に示した回路ブロック図の動作を図６のフローチャートと共に説明する。
先ず、電源２７をオン状態とすると制御部３０はリレー２８に通電してオン状態となしボイラー２１内のヒータ２４に通電を開始して（ステップＳ１）、過熱蒸気の生成を行う（ステップＳ２）。
【００２９】
そして、ボイラー２１の水温が予め設定した温度（例えば、高圧スチーム１３４℃）になったか否かを温度センサ２９よりの信号を受けて制御部３０は監視する（ステップＳ３）。この監視状態において制御部３０が過熱蒸気が発生した温度に達したと判断すると、温度と時間の設定を促す表示が行われるので、施術者が被施術者の施術内容に従って操作部２６の操作スイッチ２６ｂを操作して設定する（ステップＳ４）。
【００３０】
前記操作が終了して開始操作を行うと（ステップＳ５）、制御部３０は電磁弁４３に信号を送り、該電磁弁４３を開状態に制御を行う。これにより、過熱蒸気がボイラー２１から過熱蒸気管４を介してフード１内に送出される。このフード１内に送出される過熱蒸気は拡散ノズル４４において拡散されるので、例えば、初期の設定で４０℃に設定したとするならば、フード内の温度が４０℃となるように制御部３０により、前記電磁弁４３の開時間の制御が行われる。
【００３１】
そして、フード１内に過熱蒸気が拡散ノズル４４によって拡散されると、温度センサ１２が常時、フード１内の温度を検出しているので、該温度センサ１２よりの信号が制御部３０に入力される。ここで、制御部３０は初期に設定した温度であるか否かを温度センサ１２よりの信号と比較し、フード１内の温度が一定（４０℃）とになるように電磁弁４３の開閉を制御する（ステップＳ６）。すなわち、フード１内の温度が低下した場合には、電磁弁４３を開放して過熱蒸気をフード１内に供給して温度を高くするといった制御を行う。
【００３２】
そして、フード１内に供給される蒸気は、本発明においては過熱蒸気であることから、熱エネルギー（過熱蒸気のエンタルピー）が大きいので、所定の温度４０℃まで加温するのに従来の温ミストや湿り蒸気で加温するよりも時間が約２０秒と短くなり、頭髪と薬剤の化学反応処理の処理時間を短くすることができるので、毛髪に対するダメージを抑えることができ、さらに作業時間の短縮を図ることができる。
【００３３】
前記したように過熱蒸気のフード１への調整を行って常に一定の温度となるように制御し、次いで、初期に設定した時間が経過したか否かを制御部３０が監視し（ステップＳ７）、前記時間に達したと判断するとヒータ２４への通電を一旦終了する（ステップＳ８）。
【００３４】
次いで、再度、運転を行う指令が行われたか否かを制御部３０は監視し（ステップＳ
９）、再運転の指令が無いと判断するとボイラー２１内のヒータ２４への通電を遮断し（ステップＳ１０）、再運転するとの指令が有った場合にはステップＳ４に戻って前記した動作を行うものである。
【実施例２】
【００３５】
前記した第１の実施例にあっては、１つの過熱蒸気管４から過熱蒸気をフード１内に供給するものについて説明したが、１つの過熱蒸気管４からの過熱蒸気により、フード１内の各部をより均等に過熱蒸気を行き渡らせるためには、複数個の過熱蒸気管４から過熱蒸気を供給した方が効率が良い。そこで、複数の過熱蒸気管４を具備した第２の実施例を図７、図８と共に説明する。なお、コントロールボックス２は前記した第１の実施例と同じ構成なので、同一部分について同一符号を記して説明は省略する。
【００３６】
第２の実施例にあっては、前記ボイラー２１よりの過熱蒸気をフード１内に供給する過熱蒸気管４のフード１内に入り込んだ部分に、パイプ４１と接続されるフード１内における垂直方向に固定される垂直パイプ４１ａと接続され、また、該垂直パイプ４１ａからフード１内における水平方向に固定される水平パイプ４１ｂが分岐されている。これにより、垂直パイプ４１ａの先端は頭頂部と襟足の部分に開口され、水平パイプ４１ｂは両側の側頭部に開口されることとなる。
【００３７】
そして、各パイプ４１ａ，４１ｂの先端に近い部分には電磁弁４３が内蔵され、また、各パイプ４１ａ，４１ｂの先端には前記した網４４ｃを有する拡散ノズル４４が取付けられている。さらに、各拡散ノズル４４より離れた位置には温度センサ１２が固定されている。
【００３８】
このような構成とすることで、フード１内の多数の箇所から過熱蒸気が排出されることで、フード１内に均等に過熱蒸気を充満させることができると共に、複数の温度センサ１２があり、かつ、それぞれのパイプ４１ａ，４１ｂ内に電磁弁４３が装備されているので、各部位毎の温度制御も行えることから、フード１内をより均一な温度に制御することができる。
【００３９】
なお、第２の実施例にあっては、各パイプ４１ａ，４１ｂ毎に電磁弁４３を装備したものを示したが、電磁弁４３は全てのパイプ４１ａ，４１ｂ毎に装備しなくとも、多数の方向から過熱蒸気が排出されるので、前記した第１の実施例よりもフード１内を略均一な温度に制御することが可能である。
【実施例３】
【００４０】
前記した何れの実施例においても前記ボイラー２１よりの過熱蒸気のフード１への供給・停止をノズルの開・閉によって行う電磁弁４３を利用した場合について説明したが、電磁弁４３に代えて比例電磁弁を用いてもよい。この比例電磁弁を使用した場合には、ノズルによる開度を自由に調整できることから、過熱蒸気のフード１への供給量を細かく調整でき、よりフード１内への過熱蒸気の雰囲気を最適な状態に制御することが可能となる。
【図面の簡単な説明】
【００４１】
【図１】本発明に係る頭髪・頭皮処理装置の第１の実施例を示す斜視図である。
【図２】同上の断面図である。
【図３】拡散ノズルの拡大斜視図である。
【図４】同上の拡散ノズルを取付けた状態の断面図である。
【図５】回路ブロック図である。
【図６】同上の回路ブロックの動作を示すフローチャートである。
【図７】第２の実施例を示す断面図である。
【図８】同上の拡散ノズル部分を拡大した断面図である。
【符号の説明】
【００４２】
１          フード
２          開口部
１２        温度センサ
２          過熱水蒸気生成装置
２１        過熱水蒸気生成ボイラー
２４        ヒータ
３０        制御部
４          過熱蒸気管
４３        電磁弁
４４        拡散ノズル
【図１】
2004351194.tif 000003
【図２】
2004351194.tif 000004
【図３】
2004351194.tif 000005
【図４】
2004351194.tif 000006
【図５】
2004351194.tif 000007
【図６】
2004351194.tif 000008
【図７】
2004351194.tif 000009
【図８】
2004351194.tif 000010